(57)【要約】【課題】被監視者の異常を検知した場合に確実に外部へ緊急通報することが可能な状態監視装置を提供することである。【解決手段】本発明にかかる状態監視装置は、センサからの情報を入力するセンサ情報入力手段２２と、センサからの情報と予め設定された値とを比較することで緊急状態を検出する緊急状態検出手段と、緊急状態検出手段が緊急状態を検出した場合に、緊急状態であることを通知する緊急状態通知手段と、電話回線と接続される電話回線インタフェース２４と、電話機１２と接続される電話機接続手段２５と、電話機１２がオフフックの状態であることを検知するオフフック検知手段と、を備える。緊急状態通知手段は、電話機がオフフックの状態である場合は電話機を電話回線から強制的に切断し電話回線を介して緊急状態を通知する。【選択図】図２
2011108197.tif 000002
【特許請求の範囲】
【請求項１】
被監視者の状態を検出するセンサからの情報を入力するセンサ情報入力手段と、
前記センサからの情報と予め設定された値とを比較することで緊急状態を検出する緊急状態検出手段と、
前記緊急状態検出手段が緊急状態を検出した場合に、緊急状態であることを通知する緊急状態通知手段と、
電話回線と接続される電話回線インタフェースと、
電話機と接続される電話機接続手段と、
前記電話機がオフフックの状態であることを検知するオフフック検知手段と、を備え、
前記緊急状態通知手段は、前記電話機がオフフックの状態である場合は当該電話機を電話回線から強制的に切断し前記電話回線を介して緊急状態を通知する、状態監視装置。
【請求項２】
前記状態監視装置は、前記緊急状態通知手段が緊急状態を通知した後、所定時間内に電話がかかってきた場合には、当該電話を自動的にハンズフリー通話に切り替えるハンズフリー通話切り替え手段を更に有する、請求項１に記載の状態監視装置。
【請求項３】
前記ハンズフリー通話切り替え手段は、電話がかかってきた際に前記オフフック検知手段がオフフック状態を検知した場合には、当該電話を自動的にハンズフリー通話に切り替える、請求項２に記載の状態監視装置。
【請求項４】
前記ハンズフリー通話切り替え手段は、予め設定された相手から電話がかかってきた際に当該電話を自動的にハンズフリー通話に切り替える、請求項２または３に記載の状態監視装置。
【請求項５】
前記緊急状態通知手段は、緊急状態を検出した際に前記被監視者が通話中である場合はスピーカから緊急状態を知らせるメッセージを流すことで緊急状態を通知する、請求項１乃至４のいずれか一項に記載の状態監視装置。
【請求項６】
前記緊急状態検出手段は、前記被監視者が緊急状態を知らせる携帯端末のボタンを押した場合に出力される電波を受信することで緊急状態を検出する、請求項１乃至５のいずれか一項に記載の状態監視装置。
【請求項７】
前記携帯端末の電波は前記センサを介して受信される、請求項６に記載の状態監視装置。
【請求項８】
前記センサ情報入力手段は電力線通信回線を介して前記センサと接続されている、請求項１乃至７のいずれか一項に記載の状態監視装置。
【発明の詳細な説明】
【技術分野】
【０００１】
本発明は状態監視装置に関し、特に一人暮らしのお年寄りや要介護者などの異常を検知して通報する状態監視装置に関する。
【背景技術】
【０００２】
近年、一人暮らしのお年寄りの世帯が増加し社会問題となっている。特許文献１には、このような一人暮らしのお年寄りを監視し、異常を検知した場合は親族に対して緊急連絡をする住宅遠方集中監視システムに関する技術が開示されている。
【０００３】
図９は、特許文献１にかかる住宅遠方集中監視システムを示す図である。図９に示すように遠隔地に位置する建物１０１は、給水管１０２ａ、ガス配管１０２ｂ、ブレーカー１０２ｃを有する。給水管１０２ａには流量監視センサ１０３ａ、信号変換ユニット１０４ａが取り付けられており、給水管１０２ａを流れる水の流量を住宅内集中監視モジュール１０８に出力している。同様に、ガス配管１０２ｂにはガス流量監視センサ１０３ｂ、信号変換ユニット１０４ｂが取り付けられており、ガス配管１０２ｂを流れるガスの流量を住宅内集中監視モジュール１０８に出力している。同様に、ブレーカー１０２ｃには電流センサ１０３ｃ、信号変換ユニット１０４ｃが取り付けられており、ブレーカー１０２ｃを流れる電力量を住宅内集中監視モジュール１０８に出力している。
【０００４】
また、建物１０１は人感センサ１２０、映像監視装置１２４、玄関開閉スイッチ１２５、非常押しボタンスイッチ１２６を備えており、それぞれが住宅内集中監視モジュール１０８と接続されている。また、住宅内集中監視モジュール１０８は各入力機器から入力されたデータを解析して異常予備信号を出力する異常予備信号ユニット１１３を備えている。また、住宅内集中監視モジュール１０８は、外部公衆網または専用回線と接続するための接続ユニットであるモデム１１５を備えている。住宅内集中監視モジュール１０８から出力された信号は、外部公衆網または専用回線を介して集中監視センター１２１に伝送される。集中監視センター１２１は、モデム１２２とモデム１２２を介して入力されたデータを監視・解析する集中監視サーバ１２３を備えている。また、異常発生時や状況把握が必要なときは、契約者親族の携帯電話やパソコン１２７から集中監視サーバ１２３にアクセスすることで、遠隔地に位置する建物１０１の使用状況等を確認することができる。
【０００５】
また、特許文献２には、老人ホームの個室やお年寄りが一人暮らしをしている住宅で緊急事態が起きたときに迅速に管理事務所や消防署に通報することができる緊急通報システムに関する技術が開示されている。特許文献２にかかる緊急通報システムでは、壁や家具に貼ったフレキシブルなシート状のタッチセンサを用いている。そして、緊急事態が起きたときに、お年寄りがこのタッチセンサに触れることで、管理事務所や消防署などに緊急通報をすることができる。
【先行技術文献】
【特許文献】
【０００６】
【特許文献１】特開２００３−２５６９５５号公報
【特許文献２】特開２００１−２２２７８２号公報
【発明の概要】
【発明が解決しようとする課題】
【０００７】
上記で説明した特許文献１にかかる技術では、住宅内集中監視モジュール１０８は、外部公衆網または専用回線を介して外部の集中監視サーバ１２３に対してデータを送信している。よって、例えば、外部公衆網として電話回線を使用している場合、電話回線が使用中であると外部の集中監視サーバ１２３に対してデータを送信することができない。特に、異常発生時に電話回線が使用中であると、迅速に緊急状態を知らせることができない。また、お年寄りが誤って電話機の受話器を落とした場合、電話回線が使用中となるため迅速に緊急状態を知らせることができない。
【０００８】
本発明は上記課題に鑑みてなされたものであり、被監視者の異常を検知した場合に確実に外部へ緊急通報することが可能な状態監視装置を提供することを目的としている。
【課題を解決するための手段】
【０００９】
本発明にかかる状態監視装置は、被監視者の状態を検出するセンサからの情報を入力するセンサ情報入力手段と、前記センサからの情報と予め設定された値とを比較することで緊急状態を検出する緊急状態検出手段と、前記緊急状態検出手段が緊急状態を検出した場合に、緊急状態であることを通知する緊急状態通知手段と、電話回線と接続される電話回線インタフェースと、電話機と接続される電話機接続手段と、前記電話機がオフフックの状態であることを検知するオフフック検知手段と、を備え、前記緊急状態通知手段は、前記電話機がオフフックの状態である場合は当該電話機を電話回線から強制的に切断し前記電話回線を介して緊急状態を通知する。
【発明の効果】
【００１０】
本発明により、被監視者の異常を検知した場合に確実に外部へ緊急通報することが可能な状態監視装置を提供することが可能となる。
【図面の簡単な説明】
【００１１】
【図１】本発明にかかる状態監視装置を用いた緊急通報システムを示す図である。
【図２】本発明にかかる状態監視装置を示す図である。
【図３】本発明にかかる状態監視装置の動作を説明するためのフローチャートである。
【図４】本発明にかかる状態監視装置の動作を説明するためのフローチャートである。
【図５】本発明にかかる状態監視装置の動作を説明するためのフローチャートである。
【図６】本発明にかかる状態監視装置の動作を説明するためのフローチャートである。
【図７】本発明にかかる状態監視装置の動作を説明するためのフローチャートである。
【図８】本発明にかかる状態監視装置の動作を説明するためのフローチャートである。
【図９】従来の住宅遠方集中監視システムを説明するための図である。
【発明を実施するための形態】
【００１２】
以下、図面を参照して本発明の実施の形態について説明する。
図１は、本発明にかかる状態監視装置を用いた緊急通報システムを示す図である。図１に示す状態監視装置１は、建物８内に設置された各センサ２ａ、２ｂ、２ｃからの信号を入力し、各センサ２ａ、２ｂ、２ｃからの信号と設定されている情報（異常と判断する基準）とを比較し、異常（適合）を示している場合は、ＩＳＰ（Internet Services Provider）３を介してインターネット４を経て、管理サーバ６へ接続し、管理サーバ６から各ユーザ（監視者）５ａ、５ｂへ緊急通報をする。
【００１３】
各センサ２ａ、２ｂ、２ｃは、建物８内の人の生活状態を監視するためのセンサである。各センサ２ａ、２ｂ、２ｃは、例えば人感センサ、マットセンサ、タッチセンサ、加速度センサ、電気、ガス、水道の使用量を検知するセンサ等である。人感センサとしては、例えば人体から放出される赤外線を検知する赤外線センサを用いることができる。マットセンサ、タッチセンサには、例えば圧電素子を用いることができる。各センサ２ａ、２ｂ、２ｃは、例えば、居間、寝室、台所、トイレ、脱衣所、玄関などに設置することができる。また、マットセンサをベッドに設置することで就寝、起床を検知することができる。
【００１４】
各センサ２ａ、２ｂ、２ｃは、建物８内のネットワーク（ＬＡＮ）を介して状態監視装置１と接続されている。また、各センサ２ａ、２ｂ、２ｃは、例えば図１に示す電力線通信９（ＰＬＣ：Power Line Communication）を介して状態監視装置１と接続することもできる。電力線通信は、各部屋へネットワークが設置されていない場合などに有効である。
【００１５】
また、各センサ２ａ、２ｂ、２ｃは携帯端末７からの無線信号を受信する機能を備えていてもよい。携帯端末７は、例えば一人暮らしのお年寄りが急に体調が悪くなった場合にボタンを押すことで緊急状態を通知することができる機器である。建物８内に設置された各センサ２ａ、２ｂ、２ｃに受信機の機能も持たせることで、お年寄りがどの部屋にいても携帯端末７から出力される無線信号を受信することができ、電波の死角の発生を防止することができる。また、状態監視装置１も携帯端末７からの無線信号を受信する機能を備えていてもよい。
【００１６】
状態監視装置１は、各センサ２ａ、２ｂ、２ｃからの信号を受信し、各センサ２ａ、２ｂ、２ｃの出力データを内蔵する記憶手段（メモリ）に蓄積する。蓄積されたデータは、ＩＳＰ３、インターネット４、管理サーバ６を介して各ユーザ５ａ、５ｂがインターネット（提供するホームページなど）に接続することによって確認することができる。つまり、各ユーザ５ａ、５ｂは被監視者の生活パターンを提供するホームページ等で確認することができる。
【００１７】
また、状態監視装置１は、各センサ２ａ、２ｂ、２ｃの出力データを分析し、異常を示しているか判断することができる。例えば、通常の生活パターンに基づく各センサ２ａ、２ｂ、２ｃの出力データの予測値（つまり時間に対する各センサの出力データの予測値）を予め登録しておき、各センサ２ａ、２ｂ、２ｃから出力されるデータと予め登録された予測値を比較する。そして、各センサ２ａ、２ｂ、２ｃから出力される信号が予測値と異なる場合は異常と判断することができる。例えば、トイレや浴室に長時間入っている場合や、通常の起床時間になっても起床していない場合に異常と判断することができる。
【００１８】
状態監視装置１は、各センサ２ａ、２ｂ、２ｃの出力データを分析し、異常（緊急状態）を示していると判断した場合や、携帯端末７により異常が通知された場合、ＩＳＰ３、インターネット４を介して管理サーバ６へ接続し、各ユーザ５ａ、５ｂへ緊急通報をする。ここで、各ユーザ５ａ、５ｂとは、例えば被監視者の監視者（親族）や安否確認の契約を結んだデイサービス業者等である。
【００１９】
次に、状態監視装置１の構成について詳細に説明する。図２は本発明にかかる状態監視装置１の詳細な構成を示す図である。本発明にかかる状態監視装置１は、状態監視装置１と各センサ２ａ、２ｂ、２ｃをＰＬＣ回線を介して接続するためのＰＬＣインタフェース（センサ情報入力手段）２２と、状態監視装置１と公衆ネットワークを接続するための公衆ネットワークインタフェース２３と、状態監視装置１と電話回線を接続するための電話回線インタフェース２４を備えている。また、状態監視装置１と電話機１２は電話機接続手段２５を介して接続されている。つまり、電話機１２は状態監視装置１を介して電話回線と接続されている。本発明にかかる状態監視装置１は、公衆ネットワーク回線と電話回線を用いてインターネットに接続することができるが、本明細書では主として電話回線を用いてインターネットに接続する場合について説明する。
【００２０】
状態監視装置１は、制御手段１１と記憶手段（メモリ）２０を備えている。記憶手段２０は、各センサ２ａ、２ｂ、２ｃからの情報を蓄積することができる。また、各設定パラメータなどを格納することもできる。制御手段１１は、各センサ２ａ、２ｂ、２ｃからの信号を分析する機能を有する。つまり、制御手段１１は緊急状態検出手段として機能するモデム２１は、状態監視装置１が電話回線（アナログ回線）を介してインターネットに接続して通信する際に、デジタル信号をアナログ信号に変換する機能、アナログ信号をデジタル信号に変換する機能を有する。
【００２１】
通話回路１８は、状態監視装置１が備えるスピーカ１６とマイク１７を用いてハンズフリーで電話をすることを可能にする回路である。また、スピーカ１６は制御手段１１とも接続されており、状態監視装置１が異常を検知した場合、スピーカ１６から異常を知らせることもできる。
【００２２】
スイッチＳＷ１（１３）は、電話回線インタフェース２４と電話機１２の接続をオン・オフするスイッチである。ＳＷ１（１３）は、制御手段１１からの制御信号３１により制御される。また、スイッチＳＷ２（１４）は、電話回線インタフェース２４と通話回路１８の接続をオン・オフするスイッチである。ＳＷ２（１４）は、制御手段１１からの制御信号３２により制御される。また、スイッチＳＷ３（１５）は、電話回線インタフェース２４とモデム２１の接続をオン・オフするスイッチである。ＳＷ３（１５）は、制御手段１１からの制御信号３３により制御される。なお、ＳＷ２（１４）と通話回路１８は、ハンズフリー通話切り替え手段として機能する。
【００２３】
次に、本発明にかかる状態監視装置１の動作について説明する。図３は、状態監視装置１が外部へ緊急通報をする際の動作を示すフローチャートである。
待機状態（Ｓ１）のとき、状態監視装置１のＳＷ１（１３）はオンとなっており、電話回線インタフェース２４と電話機１２が接続された状態、つまり電話機１２が電話回線とつながっている状態となっている。一方、ＳＷ２（１４）とＳＷ３（１５）はオフとなっており、通話回路１８とモデム２１が電話回線につながっていない状態となっている。
【００２４】
待機状態のとき、状態監視装置１は緊急状態が検出されたか否かを一定の間隔で判断し続けている（Ｓ２）。つまり、状態監視装置１はＰＬＣ回線などを介して取得した各センサ２ａ、２ｂ、２ｃからのデータに基づき緊急状態か否かを判断している。そして、緊急状態を検出した場合、制御手段１１はＳＷ３（１５）に対して制御信号３３を出力し、ＳＷ３（１５）をオンにする（Ｓ３）。ＳＷ３（１５）がオンになると、モデム２１と電話回線が接続されるので状態監視装置１は緊急通報を送信可能な状態となる。なお、この場合、制御手段１１及びモデム２１が緊急状態通知手段として機能する。
【００２５】
モデム２１と電話回線が接続された後、制御手段１１はモデム２１を介して緊急通報の送信を開始する（Ｓ４）。ここで、緊急通報は各ユーザ５ａ、５ｂに対して通知される。この場合の通知方法としては、インターネットと管理サーバ６を介した電子メール、または状態監視装置１から電話機を介した音声電話等を用いることができる。緊急通報の送信が完了したら（Ｓ５）、状態監視装置１は再び待機状態となる（Ｓ６）。
【００２６】
次に、電話機で通話中に状態監視装置１が緊急状態を検出した場合の動作について図４を用いて説明する。
待機状態（Ｓ１１）のとき、状態監視装置１のＳＷ１（１３）はオンとなっており、電話機１２が電話回線とつながっている状態となっている。一方、ＳＷ２（１４）とＳＷ３（１５）はオフとなっており、通話回路１８とモデム２１が電話回線につながっていない状態となっている。
【００２７】
待機状態で電話機１２が通話状態となると電話回線が使用中となる（Ｓ１２）。この状態では、仮にＳＷ３（１５）がオンとなりモデム２１と電話回線が接続されても、緊急通報を送信することができない。
【００２８】
電話機１２が通話状態であっても、状態監視装置１は緊急状態が検出されたか否かを一定の間隔で判断し続けている（Ｓ１３）。つまり、状態監視装置１はＰＬＣ回線を介して取得した各センサ２ａ、２ｂ、２ｃからのデータに基づき緊急状態か否かを判断している。そして、状態監視装置１が緊急状態を検出した場合、状態監視装置１が備えるスピーカ１６を用いて緊急状態を知らせるメッセージを音声で出力する。そして、状態監視装置１は一定時間緊急状態を知らせるメッセージを流した後、再び待機状態となる（Ｓ１５）。
【００２９】
このように、電話機１２が通話状態であっても状態監視装置１から緊急状態を知らせるメッセージを音声で出力することで、通話中の相手に対して緊急状態を通知することができる。例えば被監視者が監視者と通話中に気を失った場合、監視者が被監視者に何が起こったか把握することは困難である。このとき、状態監視装置１から緊急状態を知らせるメッセージを流すことで、監視者に対して被監視者に異常が発生したことを知らせることができる。
【００３０】
次に、状態監視装置１が緊急通報を送信した後に外線を受信した場合の動作について図５を用いて説明する。例えば、状態監視装置が緊急状態を知らせた後に、知らせた相手から電話がかかってきても、電話機の設置場所まで移動することができないため、受話器を取ることができず、電話に応答することができない場合もある。また、お年寄りが誤って電話機の受話器を落とした場合、緊急状態を知らせた相手から電話がかかってきても、電話を受信することができない場合もある。このような場合、状態監視装置が次に説明するような動作をすることで、上記のような状況であっても電話にでることができる。
【００３１】
図３で説明したように、状態監視装置１は緊急状態を検出し緊急通報を送信した後で待機状態となる。この状態が図５に示す待機状態（Ｓ２１）である。その後、状態監視装置１が所定の時間内に掛かってきた外線を受信すると（Ｓ２２）、制御手段１１はＳＷ１（１３）をオフにし、ＳＷ２（１４）をオンにするための制御信号３１、３２を出力する（Ｓ２３）。そして、着信は自動着信となり、通話回路１８に接続されたスピーカ１６、マイク１７を用いて、ハンズフリー通話となる（Ｓ２４）。ここで、所定の時間は予め設定可能な時間であり、例えば記憶手段２０に格納されている。
【００３２】
このように、相手からの着信を自動的にハンズフリー通話とすることで、緊急状態のため身動きがとれない被監視者が受話器を取りに行くことなく、相手と通話をすることができる。
【００３３】
なお、この場合、例えば特定の相手からの電話のみを受信するように設定することもできる。特定の相手からの電話のみを受信する場合は、ステップＳ２２の後に状態監視装置１が登録されている相手からの着信であるか否かを判断する工程を設ける。ここで、特定の相手の情報（相手の電話番号）は、予め記憶手段２０に登録されている。そして、外線を受信すると、制御手段１１は外線の発信元に関する信号３５を入力し、この発信元に関する情報と記憶手段２０に登録された特定の相手に関する情報を比較し、この情報が一致するか否かで外線が特定の相手からの着信であるか否かを判断することができる。そして、特定の相手からの電話である場合、図５に示すステップＳ２４以降の処理が実行される。
【００３４】
次に、電話機１２の受話器が外れている状態（オフフック状態）で、状態監視装置１が外部へ緊急通報をする場合の動作について図６を用いて説明する。
まず、待機状態（Ｓ３１）のとき、状態監視装置１のＳＷ１（１３）はオンとなっており、電話回線インタフェース２４と電話機１２が接続された状態、つまり電話機１２が電話回線とつながっている状態となっている。一方、ＳＷ２（１４）とＳＷ３（１５）はオフとなっており、通話回路１８とモデム２１が電話回線につながっていない状態となっている。
【００３５】
待機状態のとき、状態監視装置１は緊急状態が検出されたか否かを一定の間隔で判断し続けている（Ｓ３２）。つまり、状態監視装置１はＰＬＣ回線などを介して取得した各センサ２ａ、２ｂ、２ｃからのデータに基づき緊急状態か否かを判断している。
【００３６】
そして、図６に示すフローでは、状態監視装置１が緊急状態を検出した場合、状態監視装置１は電話機がオフフック状態であるか検知している（Ｓ３３）。例えば、被監視者が電話をかけようとして受話器を持った状態で気を失った場合、電話機１２の受話器が外れてオフフック状態となり、状態監視装置１は緊急通報を送信できない。
【００３７】
この場合、状態監視装置１の制御手段１１はオフフック信号３４を検知することで、オフフック状態を検知する。この場合、制御手段１１がオフフック検知手段として機能する。オフフック状態を検知すると、制御手段１１は制御信号３１を出力しＳＷ１（１３）をオフとし、電話回線と電話機１２の接続を切断する（Ｓ３４）。
【００３８】
その後、制御手段１１は制御信号３３を出力しＳＷ３（１５）をオンにする（Ｓ３５）。ＳＷ３（１５）がオンとなることで、モデム２１と電話回線が接続されるので状態監視装置１は緊急通報を送信可能な状態となる。なお、制御手段１１がオフフックを検知しない場合、Ｓ３４は省略される。
【００３９】
モデム２１と電話回線が接続された後、制御手段１１はモデム２１を介して緊急通報の送信を開始する（Ｓ３６）。ここで、緊急通報はインターネット、管理サーバ６を介して各ユーザ５ａ、５ｂに対して通知される。この場合の通知方法としては、インターネットと管理サーバ６を介した電子メール、または状態監視装置１から電話機を介した音声電話等を用いることができる。緊急通報の送信が完了したら（Ｓ３７）、状態監視装置１は再び待機状態となる（Ｓ３８）。
【００４０】
このように、状態監視装置１にオフフック状態を検出する機能を設けることで、電話機の受話器が外れている場合でも緊急通報を送信することが可能となる。
【００４１】
次に、電話機１２の受話器が外れている状態（オフフック状態）で、状態監視装置１が外線を受信した場合の動作について図７を用いて説明する。
まず、待機状態（Ｓ４１）のとき、状態監視装置１のＳＷ１（１３）はオンとなっており、電話回線インタフェース２４と電話機１２が接続された状態、つまり電話機１２が電話回線とつながっている状態となっている。一方、ＳＷ２（１４）とＳＷ３（１５）はオフとなっており、通話回路１８とモデム２１が電話回線につながっていない状態となっている。
【００４２】
状態監視装置１が外線を受信すると（Ｓ４２）、状態監視装置１は電話機がオフフック状態であるか検知する（Ｓ４３）。オフフックの検知は、制御手段１１がオフフック信号３４を検知することで検知することができる。例えば、被監視者が電話をかけようとして受話器を持った状態で気を失った場合、電話機１２の受話器が外れてオフフック状態となり、電話機１２は外線を受信することができない。この場合、制御手段１１はオフフックを検知する。そして、制御手段１１は制御信号３１、３２を出力しＳＷ１（１３）をオフ、ＳＷ２（１４）をオンとする（Ｓ４４）。ＳＷ１（１３）がオフとなることで電話回線と電話機１２の接続が切断される。また、ＳＷ２（１４）がオンとなることで、通話回路１８と接続されたスピーカ１６、マイク１７を用いてハンズフリー通話が可能となる（Ｓ４６）。尚、オフフックが検知されない場合は、電話機１２を用いた通常受信となる（Ｓ４５）。
【００４３】
このように、状態監視装置１にオフフック状態を検出する機能を設けることで、電話機の受話器が外れている場合でも外線を受信することが可能となる。
【００４４】
次に、電話機１２の受話器が外れている状態（オフフック状態）で、緊急ボタンが押された場合の状態監視装置１の動作について図８を用いて説明する。
まず、待機状態（Ｓ５１）のとき、状態監視装置１のＳＷ１（１３）はオンとなっており、電話回線インタフェース２４と電話機１２が接続された状態、つまり電話機１２が電話回線とつながっている状態となっている。一方、ＳＷ２（１４）とＳＷ３（１５）はオフとなっており、通話回路１８とモデム２１が電話回線につながっていない状態となっている。
【００４５】
待機状態で緊急ボタンが押されると（Ｓ５２）、状態監視装置１はオフフック検知を開始する（Ｓ５３）。ここで、緊急ボタンとは、図１に示す携帯端末７が備えるボタンなど（例えばペンダント型といった携帯できる形のもの）である。つまり、被監視者が緊急状態となった場合に、被監視者がこのボタンを押すことで監視者に対して緊急状態を知らせることができる。また、被監視者が電話をかけようとして受話器を持った状態で気を失いかけている場合、電話機１２の受話器が外れてオフフック状態となるおそれがあるので、図８に示すフローでは、状態監視装置１がオフフックを検知している。オフフックの検知は、状態監視装置１の制御手段１１がオフフック信号３４を検知するか否かで判断される。
【００４６】
制御手段１１がオフフック状態を検知した場合は、制御手段１１は制御信号３１を出力しＳＷ１（１３）をオフとする（Ｓ３４）。ＳＷ１（１３）がオフとなることで電話回線と電話機１２の接続が切断される。
【００４７】
その後、制御手段１１は制御信号３２を出力しＳＷ２（１４）をオンにする（Ｓ５５）。ＳＷ２（１４）がオンとなることで、通話回路１８と電話回線が接続される。そして、状態監視装置１は予め登録された緊急連絡先（監視者であるユーザ５ａ、５ｂ等）へ自動的に電話をする。これにより、被監視者は緊急ボタンを押すことで監視者とハンズフリーで通話をすることができる（Ｓ５６）。
その後、ハンズフリー通話が終了（緊急連絡先の相手が電話を切った場合、または出なかった場合を含む）したら（Ｓ５７）、ＩＳＰ３を通じてインターネット、管理サーバを介してユーザ５ａ、５ｂに対して通知される。更にその後、状態監視装置１は再び待機状態となる（Ｓ５８）。その後、状態監視装置１が所定の時間内に外線を受信すると、自動的に電話を受信し、電話を掛けてきた相手と同じくハンズフリーで通話を行うことができる。
【００４８】
このように、緊急ボタンが押されたらハンズフリー通話をする機能やオフフック状態を検出する機能を状態監視装置１に設けることで、被監視者が誤って電話機の受話器を落としてしまった場合でも、緊急ボタンを押すことで監視者とハンズフリー通話をすることが可能となる。
【００４９】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【符号の説明】
【００５０】
１  状態監視装置
２ａ、２ｂ、２ｃ  センサ
３  ＩＳＰ
４  インターネット
５ａ、５ｂ  ユーザ（監視者）
６  管理サーバ
７  携帯端末
８  建物
９  電力線通信
１１  制御手段
１２  電話機
１３、１４、１５  スイッチ
１６  スピーカ
１７  マイク
１８  通話回路
２０  記憶手段
２１  モデム
２２  ＰＬＣインタフェース（センサ情報入力手段）
２３  公衆ネットワークインタフェース
２４  電話回線インタフェース
２５  電話機接続手段
３１、３２、３３  スイッチ制御信号
３４  オフフック信号
３５  外線の発信元に関する信号
【図１】
2011108197.tif 000003
【図２】
2011108197.tif 000004
【図３】
2011108197.tif 000005
【図４】
2011108197.tif 000006
【図５】
2011108197.tif 000007
【図６】
2011108197.tif 000008
【図７】
2011108197.tif 000009
【図８】
2011108197.tif 000010
【図９】
2011108197.tif 000011